(57)【要約】【課題】  部品点数及び部品コストの低減や構造の簡素化が可能な搬送装置を提供する。【解決手段】  上方の搬送ベルト１０１の一部を羽根車１５の近傍位置から退避位置に移動させる移動装置１１０を備え、この移動装置１１０が、第一のローラ１１１と第二のローラ１１２とを回転可能に支持して羽根車１５の近傍位置と前記退避位置との間をスライド移動可能な移動フレーム１１３を備えており、第一のローラ１１１と第三のローラ１０３との間を走行する搬送ベルト１０１と第二のローラ１１２と第四のローラ１０４との間を走行する搬送ベルト１０１とが平行であり、移動フレーム１１３の移動が、第一のローラ１１１と第三のローラ１０３との間及び第二のローラ１１２と第四のローラ１０４との間を走行する搬送ベルト１０１と平行になっている。【選択図】        図１
2005145629.tif 000002
【特許請求の範囲】
【請求項１】
シート状物を挟んで走行することにより当該シート状物を第一の位置から第二の位置にまで搬送する対をなす搬送ベルトと、
一方の前記搬送ベルトを前記第二の位置から離反した退避位置に位置させるように一方の当該搬送ベルトを移動させる移動手段とを備え、
前記移動手段が、
前記第二の位置側に配設されて一方の前記搬送ベルトを巻き掛けられた第一のローラと、
前記退避位置側に配設されて一方の前記搬送ベルトを巻き掛けられた第二のローラと、
前記第一のローラと前記第二のローラとを回転可能に支持して前記第二の位置と前記退避位置との間を移動可能な移動フレームと
を備えており、
前記移動手段の前記第一のローラと前記第一の位置との間の一方の前記搬送ベルトの走行を案内する第三のローラと、
前記移動手段の前記第二のローラと前記第一の位置との間の一方の前記搬送ベルトの走行を案内する第四のローラと
を備えて、
前記第一のローラと前記第三のローラとの間を走行する前記搬送ベルトと前記第二のローラと前記第四のローラとの間を走行する前記搬送ベルトとが平行であり、
前記移動手段の前記移動フレームの移動が、前記第一のローラと前記第三のローラとの間及び前記第二のローラと前記第四のローラとの間を走行する前記搬送ベルトと平行になっている
ことを特徴とする搬送装置。
【請求項２】
請求項１において、
前記第三のローラが、前記第一の位置から前記第二の位置へ向かって走行する一方の前記搬送ベルトを案内するように当該第一の位置と前記移動手段の前記第一のローラとの間に配設され、
前記第四のローラが、前記第二の位置から前記第一の位置へ向かって走行する一方の前記搬送ベルトを案内するように当該第一の位置と前記移動手段の前記第二のローラとの間に配設されている
ことを特徴とする搬送装置。
【発明の詳細な説明】
【技術分野】
【０００１】
本発明は、シート状物を搬送する搬送装置に関し、特に、印刷機で印刷されて折機で折られた折丁を搬送する場合に適用すると有効なものである。
【背景技術】
【０００２】
印刷機で印刷されて複数の折機でそれぞれ折られた折丁を一箇所に集積して排紙する場合、通常、対をなして走行する搬送ベルトにより、一方の折機に設けられた羽根車に他方の折機で折られた折丁を搬送し、当該羽根車に一方の折機で折られた折丁と他方の折機で折られた折丁とを交互に送給して、排紙装置に整列排出するようにしている。
【０００３】
このように羽根車に一方の折機で折られた折丁と他方の折機で折られた折丁とを交互に送給している際に、羽根車周辺部分で紙詰まり等が発生した場合、従来は、例えば、下記の特許文献１に記載されているように、前記搬送ベルトの上記羽根車近傍部分を当該羽根車近傍部分から退避させるように前記搬送ベルトを支点中心に旋回移動させると共に、当該移動による搬送ベルトの弛みの発生を防止するように当該搬送ベルトの走行経路内に押圧ローラを移動させることにより、紙詰まり等からの復帰に係る作業を容易にできるようにしている。
【０００４】
【特許文献１】特開２０００−０９５３７７号公報
【発明の開示】
【発明が解決しようとする課題】
【０００５】
前述したような特許文献１に記載された搬送装置においては、先に説明したように、搬送ベルトを羽根車近傍部分から退避させるだけでなく、搬送ベルトの弛みの発生を防止するように搬送ベルトの走行経路に押圧ローラを移動させなければならないため、当該押圧ローラや当該押圧ローラを移動させる駆動機構等を狭いスペースに設置しなければならず、部品点数が多くなってしまうばかりか、部品コストが高くなってしまうという問題があった。
【課題を解決するための手段】
【０００６】
前述した課題を解決するための、本発明に係る搬送装置は、シート状物を挟んで走行することにより当該シート状物を第一の位置から第二の位置にまで搬送する対をなす搬送ベルトと、一方の前記搬送ベルトを前記第二の位置から離反した退避位置に位置させるように一方の当該搬送ベルトを移動させる移動手段とを備え、前記移動手段が、前記第二の位置側に配設されて一方の前記搬送ベルトを巻き掛けられた第一のローラと、前記退避位置側に配設されて一方の前記搬送ベルトを巻き掛けられた第二のローラと、前記第一のローラと前記第二のローラとを回転可能に支持して前記第二の位置と前記退避位置との間を移動可能な移動フレームとを備えており、前記移動手段の前記第一のローラと前記第一の位置との間の一方の前記搬送ベルトの走行を案内する第三のローラと、前記移動手段の前記第二のローラと前記第一の位置との間の一方の前記搬送ベルトの走行を案内する第四のローラとを備えて、前記第一のローラと前記第三のローラとの間を走行する前記搬送ベルトと前記第二のローラと前記第四のローラとの間を走行する前記搬送ベルトとが平行であり、前記移動手段の前記移動フレームの移動が、前記第一のローラと前記第三のローラとの間及び前記第二のローラと前記第四のローラとの間を走行する前記搬送ベルトと平行になっていることを特徴とする。
【０００７】
また、本発明に係る搬送装置は、上述した搬送装置において、前記第三のローラが、前記第一の位置から前記第二の位置へ向かって走行する一方の前記搬送ベルトを案内するように当該第一の位置と前記移動手段の前記第一のローラとの間に配設され、前記第四のローラが、前記第二の位置から前記第一の位置へ向かって走行する一方の前記搬送ベルトを案内するように当該第一の位置と前記移動手段の前記第二のローラとの間に配設されていることを特徴とする。
【発明の効果】
【０００８】
本発明に係る搬送装置によれば、移動手段の移動フレームを第二の位置から退避位置に移動させるだけで、一方の搬送ベルトを弛ませることなく第二の位置から退避位置に移動させることができるので、部品点数の削減、部品コストの低減、構造の簡素化を図ることができる。
【発明を実施するための最良の形態】
【０００９】
本発明に係る搬送装置を、印刷機で印刷されて折機で折られた折丁を搬送する際に適用した場合の実施形態を図１〜３に基づいて説明する。図１は、搬送装置の要部の概略構成図、図２は、図１の矢線II方向から見た図、図３は、図２の矢線 III方向から見た図である。
【００１０】
図１において、１０，２０は折機、１１は搬送ベルト、１２は折テーブル、１３は折込ローラ、１４はガイドベルト、１５は羽根車、１６は排紙コンベアである。一方側の折機１０は、印刷機で印刷されて断裁された断裁ウェブ１を搬送ベルト１１で上下方向に挟んで折テーブル１２上にまで搬送し、ストッパで止められた断裁ウェブ１をチョッパブレード（図示省略）で折込ローラ１３間に差し込んで折り込むことにより折丁２とし、ガイドベルト１４を介して羽根車１５の羽根間に当該折丁２を落とし込んでから排紙コンベア１６上に整列落下させることができるようになっている。
【００１１】
他方側の折機２０は、一方側の折機１０に対して並列配置され、一方側の折機１０の場合と同様に、印刷機で印刷されて断裁された断裁ウェブ１を搬送ベルトで上下方向に挟んで折テーブル上にまで搬送し、ストッパで止められた断裁ウェブ１をチョッパブレードで折込ローラ間に差し込んで折り込むことにより折丁２とし、本発明に係る搬送装置１１０により、当該折丁２が一方側の折機１０の前記折込ローラ１３からの折丁２と交互となるように、一方側の折機１０の前記羽根車１５の羽根間に送り込まれ、一方側の折機１０で折られた折丁２と交互に前記排紙コンベア１６上に整列落下されるようになっている。
【００１２】
本発明に係る本実施形態の上記搬送装置１００は、図１〜３に示すように、シート状物である折丁２を挟んで走行することにより当該折丁２を他方側の折機２０の折込ローラの下方位置（第一の位置）から一方側の折機１０の羽根車１５近傍の送給位置（第二の位置）にまで搬送する対をなす複数の搬送ベルト１０１，１０２ａ，１０２ｂと、一方（上方）の搬送ベルト１０１を前記羽根車１５の近傍位置（第二の位置）から離反した退避位置に位置させるように一方の搬送ベルト１０１を移動させる移動手段である移動装置１１０とを備え、この移動装置１１０が、前記羽根車１５の近傍側（第二の位置側）に配設されて一方の搬送ベルト１０１を巻き掛けられた第一のローラ１１１と、前記退避位置側に配設されて一方の搬送ベルト１０１を巻き掛けられた第二のローラ１１２と、第一のローラ１１１と第二のローラ１１２とを回転可能に支持して前記羽根車１５の近傍位置（第二の位置）と前記退避位置との間をスライド移動可能な移動フレーム１１３とを備えており、他方側の折機２０の折込ローラの下方位置（第一の位置）から羽根車１５の近傍位置（第二の位置）へ向かって走行する一方の搬送ベルト１０１を案内するように他方側の折機２０の折込ローラの下方位置（第一の位置）と移動装置１１０の第一のローラ１１１との間に配設された第三のローラ１０３と、羽根車１５の近傍位置（第二の位置）から他方側の折機２０の折込ローラの下方位置（第一の位置）へ向かって走行する一方の搬送ベルト１０２を案内するように他方側の折機２０の折込ローラの下方位置（第一の位置）と移動装置１１０の第二のローラ１１２との間に配設された第四のローラ１０４とを備えて、第一のローラ１１１と第三のローラ１０３との間を走行する前記搬送ベルト１０１と第二のローラ１１２と第四のローラ１０４との間を走行する前記搬送ベルト１０１とが平行であり、移動装置１１０の移動フレーム１１３の移動が、第一のローラ１１１と第三のローラ１０３との間及び第二のローラ１１２と第四のローラ１０４との間を走行する前記搬送ベルト１０１と平行になっているものである。
【００１３】
前記移動装置１１０は、前記移動フレーム１１３が、支持フレーム１１４上に配設され、当該支持フレーム１１４に取り付けられたＬ字型のブラケット１１５で当該支持フレーム１１４上に保持されると共に、当該支持フレーム１１４に基端側を連結されたエアシリンダ１１６の先端側を連結され、当該エアシリンダ１１６を伸縮させることにより、当該支持フレーム１１４上から脱落することなく当該支持フレーム１１４に沿ってスライド移動することができるようになっている。
【００１４】
折丁２の上側に位置する前記搬送ベルト１０１は、幅方向に複数配設され、前記ローラ１１１，１１２，１０３，１０４により走行を案内されるだけでなく、他のローラ１０５，１０６ａ，１０６ｂ等によっても走行を案内されると共に、図示しない駆動ローラの作動により走行するようになっている。
【００１５】
折丁２の下側に位置する前記搬送ベルト１０２ａ，１０２ｂは、前記搬送ベルト１０１と略同じ箇所に位置するように幅方向に複数配設され、一方の搬送ベルト１０２ａが羽根車１５の近傍まで位置するようにローラ１０７ａで案内されているのに対し、他方の搬送ベルト１０２ｂが羽根車１５の上方にまで位置するようにローラ１０７ｂで案内されており、前記搬送ベルト１０１と共に前記ローラ１０３，１０５により走行を案内されるだけでなく、他のローラ１０７ｃ，１０７ｄ等によっても走行を案内されると共に、図示しない駆動ローラの作動により走行するようになっている。
【００１６】
このような搬送装置１００においては、他方側の折機２０で折られた折丁２を搬送ベルト１０１，１０２ａ，１０２ｂで挟み込んで前記駆動ローラにより走行させることにより、先に説明したように、当該折丁２を、一方側の折機１０で折られた折丁２と交互となるように、一方側の折機１０の羽根車１５の羽根間に送り込むことができる。
【００１７】
このようにして他方側の折機２０で折られた折丁２を一方側の折機１０の羽根車１５の羽根間に送り込むように搬送している際に、何らかの原因で羽根車１５の周辺で紙詰まり等が発生したら、折機１０，２０の作動を停止すると共に、搬送装置１００による折丁２の搬送を停止し、移動装置１１０のエアシリンダ１１６を作動させて移動フレーム１１３を前記退避位置側へスライド移動させると、前記第一，二のローラ１１１，１１２も退避位置側へ移動し、これに伴って、折丁２の上側に位置する前記搬送ベルト１０１が羽根車１５の近傍位置（第二の位置）から退去する。これにより、羽根車１５の周辺で発生した紙詰まり等に対する復帰作業を容易に行うことができるようになる。
【００１８】
ここで、第一のローラ１１１と第三のローラ１０３との間を走行する前記搬送ベルト１０１と第二のローラ１１２と第四のローラ１０４との間を走行する前記搬送ベルト１０１とが平行であり、移動装置１１０の移動フレーム１１３の移動が、第一のローラ１１１と第三のローラ１０３との間及び第二のローラ１１２と第四のローラ１０４との間を走行する前記搬送ベルト１０１と平行になっているので、当該搬送ベルト１０１を弛ませずに羽根車１５の近傍位置（第二の位置）から退避位置に移動させることができる。
【００１９】
そして、上記復帰作業を終えたら、移動装置１１０のエアシリンダ１１６を作動させて移動フレーム１１３を前記羽根車１５の近傍位置（第二の位置）側へスライド移動させると、前記第一，二のローラ１１１，１１２も前記羽根車１５の近傍位置（第二の位置）側へ移動し、これに伴って、折丁２の上側に位置する前記搬送ベルト１０１が羽根車１５の近傍位置（第二の位置）に位置するように設定される。これにより、他方側の折機２０で折られた折丁２の一方側の折機１０の羽根車１５への搬送が可能となるように搬送ベルト１０１を当初の通りに戻すことができる。
【００２０】
このとき、第一のローラ１１１と第三のローラ１０３との間を走行する前記搬送ベルト１０１と第二のローラ１１２と第四のローラ１０４との間を走行する前記搬送ベルト１０１とが平行であり、移動装置１１０の移動フレーム１１３の移動が、第一のローラ１１１と第三のローラ１０３との間及び第二のローラ１１２と第四のローラ１０４との間を走行する前記搬送ベルト１０１と平行になっているので、上述と同様に、当該搬送ベルト１０１を弛ませずに退避位置から羽根車１５の近傍位置（第二の位置）に移動させることができる。
【００２１】
つまり、本実施の形態に係る搬送装置１００においては、移動装置１１０の移動フレーム１１３をスライド移動させるだけで、前記搬送ベルト１０１を弛ませることなく羽根車１５の近傍位置（第二の位置）と退避位置との間で移動させることができるのである。
【００２２】
したがって、本実施形態に係る搬送装置１００によれば、簡単な構造で前記搬送ベルト１０１を弛ませることなく羽根車１５の近傍位置（第二の位置）と退避位置との間で移動させることができ、装置構成の小型化を図ることができる。
【００２３】
なお、本実施形態に係る搬送装置１００においては、図１等に示したように、同径サイズの第一，二のローラ１１１，１１２を備えた移動装置１１０により、折丁２の上側に位置する搬送ベルト１０１を同じ高さ位置の第二の位置と退避位置との間で移動させるようにしたが、第一のローラと第三のローラとの間を走行する搬送ベルトと第二のローラと第四のローラとの間を走行する搬送ベルトとが平行であり、移動装置の移動フレームの移動が、第一のローラと第三のローラとの間及び第二のローラと第四のローラとの間を走行する搬送ベルトと平行になっていれば、本実施形態の場合と同様な作用効果を発現することができる。
【００２４】
具体的には、例えば、図４（ａ）に示すように、第一のローラ１１１よりも大径の第二のローラ２１２を備えて第一のローラ１１１と第二のローラ２１２との下部高さ位置を等しくした場合（第一のローラ１１１と第二のローラ２１２との間を走行する搬送ベルト１０１が、第一のローラ１１１と第三のローラ１０３との間及び第二のローラ２１２と第四のローラ１０４との間を走行する搬送ベルト１０１に対して平行でない場合）とすることも可能である。
【００２５】
さらに、例えば、図４（ｂ）に示すように、第一のローラ１１１よりも大径の第二のローラ２１２を備えて第一のローラ１１１と第二のローラ２１２との上部高さ位置を等しくした場合（第一のローラ１１１と第三のローラ１０３との間を走行する搬送ベルト１０１の高さ位置と第二のローラ２１２と第四のローラ１０４との間を走行する搬送ベルト１０１の高さ位置とが異なる場合）とすることも可能である。
【００２６】
さらに、例えば、図４（ｃ）に示すように、第二の位置と退避位置との高さ位置を異ならせるようにする（移動方向が水平方向でない）ことも可能である。
【００２７】
さらに、例えば、図４（ｄ）に示すように、折丁２の下側に位置する搬送ベルト１０２を移動させるようにすることも可能である。
【００２８】
また、本実施形態では、印刷機で印刷されて折機２０で折られた折丁２を搬送する際に適用した場合について説明したが、本発明に係る搬送装置は、これに限らず、対をなす搬送ベルトでシート状物を挟んで走行することにより当該シート状物を第一の位置から第二の位置にまで搬送する場合に、一方の前記搬送ベルトの一部を前記第二の位置から離反した退避位置に位置させるように一方の当該搬送ベルトの一部の位置を移動させる必要がある場合であれば、本実施形態の場合と同様に適用することが可能である。
【産業上の利用可能性】
【００２９】
本発明に係る搬送装置は、シート状物を搬送する場合に適用することが可能であり、特に、印刷機で印刷されて折機で折られた折丁を搬送する場合に適用すると有効である。
【図面の簡単な説明】
【００３０】
【図１】本発明に係る搬送装置を、印刷機で印刷されて折機で折られた折丁を搬送する際に適用した場合の実施形態の要部の概略構成図である。
【図２】図１の矢線II方向から見た図である。
【図３】図２の矢線 III方向から見た図である。
【図４】本発明に係る搬送装置の他の実施形態の要部の概略説明図である。
【符号の説明】
【００３１】
１  断裁ウェブ
２  折丁
１０，２０  折機
１１  搬送ベルト
１２  折テーブル
１３  折込ローラ
１４  ガイドベルト
１５  羽根車
１６  排紙コンベア
１００  搬送装置
１０１，１０２，１０２ａ，１０２ｂ  搬送ベルト
１０３  第三のローラ
１０４  第四のローラ
１０５，１０６ａ，１０６ｂ，１０７，１０７ａ〜１０７ｄ  ローラ
１１０  移動装置
１１１  第一のローラ
１１２，２１２  第二のローラ
１１３  移動フレーム
１１４  支持フレーム
１１５  ブラケット
１１６  エアシリンダ
【図１】
2005145629.tif 000003
【図２】
2005145629.tif 000004
【図３】
2005145629.tif 000005
【図４】
2005145629.tif 000006